(57)【要約】【課題】簡易な構成で組立の煩わしさもなく、簡易且つ確実にチューブを鼻腔の近傍に固定することができ、チューブに微動があっても剥がれにくく、快適な装着感を与える、見た目にも優しい、チューブ固定用テープを提供すること。【解決手段】本考案は、チューブを固定するためのチューブ固定用テープ１であって、患者の皮膚に貼り付けられる粘着面を有する第１の貼付部２と、上記チューブに貼り付けられる粘着面を有する第２の貼付部３と、上記第１の貼付部２と上記第２の貼付部３とを接続する接続部４と、上記第１の貼付部２から上記接続部４を介して上記第２の接続部３まで強度を補強するために接着される芯部材５と、を備えたことを特徴とする。【選択図】  図１
0003183192.tif 000002
【実用新案登録請求の範囲】
【請求項１】
チューブを固定するためのチューブ固定用テープであって、
患者の皮膚に貼り付けられる粘着面を有する第１の貼付部と、
上記チューブに貼り付けられる粘着面を有する第２の貼付部と、
上記第１の貼付部と上記第２の貼付部とを接続する接続部と、
上記第１の貼付部から上記接続部を介して上記第２の接続部まで強度を補強するために接着される芯部材と、を備えたこと
を特徴とするチューブ固定用テープ。
【請求項２】
上記第１及び第２の貼付部は、その平面形状が円形であること
を特徴とする請求項１に記載のチューブ固定用テープ。
【請求項３】
上記第１及び第２の貼付部は、その平面形状が長方形であること
を特徴とする請求項１に記載のチューブ固定用テープ。
【請求項４】
上記第１の貼付部の面積は、上記第２の貼付部の面積に比して大きいこと
を特徴とする請求項１乃至３のいずれかに記載のチューブ固定用テープ。
【請求項５】
上記第１の貼付部は、透明又は半透明であること
を特徴とする請求項１乃至４のいずれかに記載のチューブ固定用テープ。
【請求項６】
上記第１の貼付部は、通気性のある素材からなること
を特徴とする請求項１乃至５のいずれかに記載のチューブ固定用テープ。
【請求項７】
上記チューブとは、経管栄養法に基づく栄養補給のためのチューブであり、
上記第１の貼付部は、患者の鼻頭に貼り付けられ、
上記第２の貼付部は、患者の鼻腔の近傍で上記チューブの外周を包み込むように貼り付けられ、該チューブの位置固定すること
を特徴とする請求項１乃至６のいずれかに記載のチューブ固定用テープ。
【請求項８】
経管栄養法に基づく栄養補給のために患者の鼻腔から挿入されるチューブを当該患者の鼻の近傍で固定するためのチューブ固定用テープであって、
上記患者の鼻頭に貼り付けられる粘着面を有する第１の貼付部と、
上記チューブに貼り付けられる粘着面を有する第２の貼付部と、
上記第１の貼付部と上記第２の貼付部とを接続する接続部と、
上記第１の貼付部から上記接続部を介して上記第２の接続部まで強度を補強するために接着される芯部材と、を備え、
上記第１の貼付部の面積は上記第２の貼付部の面積に比して大きく、
上記第１の貼付部は、透明又は半透明であり、通気性のある素材からなること
を特徴とするチューブ固定用テープ。
【請求項９】
上記第１及び第２の貼付部は、その平面形状が円形又は長方形であること
を特徴とする請求項８に記載のチューブ固定用テープ。
【考案の詳細な説明】
【技術分野】
【０００１】
本考案は、例えば経管栄養法等を実施する際にチューブを患者の鼻に固定するためのチューブ固定用テープに関する。
【背景技術】
【０００２】
従来、経口摂取が十分にできないか、或いは完全に不可能な患者に対して、体外から消化管内に通したチューブを用いて流動食を投与する経管栄養法がある。これは、鼻腔から或いは腹部の皮膚から胃にチューブを入れ栄養補給を行う方法である。
【０００３】
このような経管栄養法において、例えば鼻腔からチューブを入れる場合には、鼻腔の近傍にてチューブを固定する必要がある。そして、チューブを固定するために用いられるチューブ固定用テープには、種々のものがある。
【０００４】
例えば、特許文献１では、チューブ固定部と連結部、体表面貼り付け部を有し、所定の手順で組み立てることで、チューブを体表面に固定・保持できるチューブ固定用粘着テープが開示されている。
【先行技術文献】
【特許文献】
【０００５】
【特許文献１】実用新案登録第３１３１４４１号公報
【考案の概要】
【考案が解決しようとする課題】
【０００６】
しかしながら、上記特許文献１に開示された考案では、鼻腔の近傍にチューブを固定することは想定されておらず、もっぱら頬等の比較的広い体表面に貼り付けるものであることから、鼻腔付近の微動を抑制することができない。
【０００７】
そこで、本考案は上述の技術的な課題に鑑み、簡易な構成で組立の煩わしさもなく、簡易且つ確実にチューブを鼻腔の近傍に固定することができ、チューブに微動があっても剥がれにくく、快適な装着感を与える、見た目にも優しい、チューブ固定用テープを提供することを目的とする。
【課題を解決するための手段】
【０００８】
上述したような技術的な課題を解決するため、本考案の第１の態様に係るチューブ固定用テープは、チューブを固定するためのチューブ固定用テープであって、患者の皮膚に貼り付けられる粘着面を有する第１の貼付部と、上記チューブに貼り付けられる粘着面を有する第２の貼付部と、上記第１の貼付部と上記第２の貼付部とを接続する接続部と、上記第１の貼付部から上記接続部を介して上記第２の接続部まで強度を補強するために接着される芯部材５と、を備えたことを特徴とする。
【０００９】
そして、本考案の第２の態様に係るチューブ固定用テープは、経管栄養法に基づく栄養補給のために患者の鼻腔から挿入されるチューブを当該患者の鼻の近傍で固定するためのチューブ固定用テープであって、上記患者の鼻頭に貼り付けられる粘着面を有する第１の貼付部と、上記チューブに貼り付けられる粘着面を有する第２の貼付部と、上記第１の貼付部と上記第２の貼付部とを接続する接続部と、上記第１の貼付部から上記接続部を介して上記第２の接続部まで強度を補強するために接着される芯部材５とを備え、上記第１の貼付部の面積は上記第２の貼付部の面積に比して大きく、上記第１の貼付部は、透明又は半透明であり、通気性のある素材からなることを特徴とする。
【考案の効果】
【００１０】
本考案に係るチューブ固定用テープによれば、簡易な構成で組立の煩わしさもなく、簡易且つ確実にチューブを鼻腔の近傍に固定することができ、チューブに微動があっても剥がれにくく、快適な装着感を与え、見た目にも優しいものとすることが可能となる。
【図面の簡単な説明】
【００１１】
【図１】本考案の第１の実施形態に係るチューブ固定用テープの構成図である。
【図２】本考案の第１の実施形態に係るチューブ固定用テープの使用状態図である。
【図３】本考案の第１の実施形態に係るチューブ固定用テープの使用状態を更に詳細に示す図である。
【図４】（ａ）は本考案の第１の実施形態に係るチューブ固定用テープと併用される管止めテープの平面図、（ｂ）が該管止めテープの断面図である。
【図５】本考案の第２の実施形態に係るチューブ固定用テープの構成図である。
【図６】本考案の第２の実施形態に係るチューブ固定用テープの使用状態を更に詳細に示す図である。
【考案を実施するための形態】
【００１２】
以下、本考案のチューブ固定用テープに係る好適な実施形態について、図面を参照して説明する。なお、本考案のチューブ固定用テープは、以下の記述に限定されるものではなく、本考案の要旨を逸脱しない範囲において、適宜変更可能である。
【００１３】
（第１の実施形態）
図１には本考案の第１の実施形態に係るチューブ固定用テープの構成を示し説明する。
【００１４】
同図に示されるように、このチューブ固定用テープ１は、第１の貼付部２と、第２の貼付部３と、これら第１及び第２の貼付部２，３を接続する接続部４と、第１貼付部２から接続部４を介して第２の接続部３まで強度を補強するために接着される芯部材５と、で構成されている。
【００１５】
この例では、第１の貼付部２と第２の貼付部３は、平面形状が円形となっており、第１の貼付部２の直径に比して、第２の貼付部３の直径は小さくなっている。即ち、第１の貼付部２の面積は、第２の貼付部３の面積に比して大きい。
【００１６】
この例では、第１の貼付部２の直径は約３ｃｍ、第２の貼付部３の直径は約２ｃｍ、第１及び第２の貼付部２，３を接続する接続部４の長さは約１ｃｍとなっているが、これに限定されるものではない。一方、接続部４の幅は、その中央部から第１及び第２の貼付部２，３への接続端にゆくにつれて徐々に広くなるように構成されている。即ち、接続部４の両端の辺は曲線である。
【００１７】
第１の貼付部２は、透明或いは半透明で、通気性があり、やや固めの柔軟性のある素材からなり、裏面には粘着剤が塗布されている。第２の貼付部３は、表面が着色されていてよく、通気性はなくてよいが、裏面には粘着剤が塗布されている。接続部４は、着色されていてもよく、やや固めの紙等の素材により形成されている。
【００１８】
ここで、第１の貼付部２としては、ナイロンシートやプラスチック基材、ポリエチレンフォーム基材、ＰＶＣフォーム基材、シリコン基材等を採用することが可能である。透明ないしは半透明でなくても良い場合には、織布基材、不織布、紙等も採用することができる。第２の貼付部３としては、ナイロンシートやプラスチック基材、ポリエチレンフォーム基材、ＰＶＣフォーム基材、シリコン基材、織布基材、不織布、紙等を採用することが可能である。接続部４としては、やや固めの紙やプラスチック基材等を採用することができる。芯部材５としては芯材を内包したビニール、プラスチック等による帯状部材や、それ自体、ある程度の強度を有する固めのプラスチック等による芯材を採用することができる。芯部材５は透明又は半透明であってよく、第１及び第２の貼付部２，３及び接続部４の表面又は裏面のいずれに接着されていてもよい。但し、以上には限定されないことは勿論である。
【００１９】
ここで、図２には本考案の第１の実施形態に係るチューブ固定用テープの使用状態を示し、図３には該チューブ固定用テープの使用状態を更に詳細に示し説明する。
【００２０】
実際の使用に際しては、第１の貼付部２は、患者の鼻頭に貼り付けられ、第２の貼付部３は、医療用のチューブの外周を包み込むように貼り付けられる。第１の貼付部２と第２の貼付部３との間は、前述したとおり、接続部４で接続されており、更に芯部材５により強度が補強されているので、左右の鼻腔のいずれにチューブ２０を挿入した場合においても好適な位置で第２の貼付部３により当該チューブ２０の外周の一部を鼻腔の近傍で包み込み固定保持することが可能となる。尚、このチューブ固定用テープ１による固定、保持を補うべく、この例では、管止めテープ３０も併用されている。
【００２１】
ここで、図４（ａ）は本考案の第１の実施形態に係るチューブ固定用テープと併用される管止めテープの平面図を示し、図（ｂ）には該管止めテープの断面図を示す。
【００２２】
これらの図に示されるように、管止めテープ３０には、頬に経管を取り付けるときに開いて付ける切り込み３０ａ，３０ｂが設けられている。そして、図４（ｂ）の断面図に示されるように、上カバー３１の下に粘着層３２が設けられており、さらに粘着層３２の他方は下カバー３３により被覆されている。使用時には、この下カバー３３を剥がして、粘着層３２により頬等に貼り付けられる。尚、管止めテープ３０のサイズは、例えば縦２．５ｃｍ、横４ｃｍであってよいが、これに限定されるものではない。
【００２３】
以上説明したように、本考案の第１の実施形態によれば、チューブ２０を固定するためのチューブ固定用テープ１であって、患者の皮膚に貼り付けられる粘着面を有する第１の貼付部２と、上記チューブ２０に貼り付けられる粘着面を有する第２の貼付部３と、上記第１の貼付部２と上記第２の貼付部３とを接続する接続部４と、上記第１の貼付部２から上記接続部４を介して上記第２の接続部３まで強度を補強するために接着される芯部材５と、を備えたことを特徴とするチューブ固定用テープ１が提供される。
【００２４】
ここで、上記第１及び第２の貼付部２，３は、その平面形状が円形であってよい。上記第１の貼付部２の面積は、上記第２の貼付部３の面積に比して大きくてよい。上記第１の貼付部２は、透明又は半透明であってよい。上記第１の貼付部２は、通気性のある素材からなることとしてよい。また、上記チューブ２０とは、経管栄養法に基づく栄養補給のためのチューブ２０であり、上記第１の貼付部２は、患者の鼻頭に貼り付けられ、上記第２の貼付部３は、患者の鼻腔の近傍で上記チューブ２０の外周を包み込むように貼り付けられ、該チューブ２０の位置固定することとしてよい。
【００２５】
即ち、本考案の第１の実施形態によれば、経管栄養法に基づく栄養補給のために患者の鼻腔から挿入されるチューブ２０を当該患者の鼻の近傍で固定するためのチューブ固定用テープ１であって、上記患者の鼻頭に貼り付けられる粘着面を有する平面形状が円形の第１の貼付部２と、上記チューブ２０に貼り付けられる粘着面を有する平面形状が円形の第２の貼付部３と、上記第１の貼付部２と上記第２の貼付部３とを接続する接続部４と、上記第１の貼付部２から上記接続部４を介して上記第２の接続部３まで強度を補強するために接着される芯部材５とを備え、上記第１の貼付部２の面積は上記第２の貼付部３の面積に比して大きく、上記第１の貼付部２は、透明又は半透明であり、通気性のある素材からなることを特徴とするチューブ固定用テープ１が提供されることになる。
【００２６】
従って、第１の実施形態に係るチューブ固定用テープによれば、経管栄養法に基づく栄養補給の際に、鼻の近傍でチューブを簡易且つ迅速に固定することができ、しかも芯部材５の効能により、鼻腔に挿入されたチューブが微動してもそれによる影響を吸収することができ、持続して保持状態を維持できる。また、第１の貼付部２は透明又は半透明となっていることから、装着した患者の見た目も痛々しい感じとならず、看護をしている家族等の精神状態を安定維持することに寄与できる。また、第１の貼付部２を通気性のよい素材とすることで、患者に快適な使用感を与えることができる。
【００２７】
（第２の実施形態）
図５には本考案の第２の実施形態に係るチューブ固定用テープの構成を示し説明する。
【００２８】
同図に示されるように、このチューブ固定用テープ１１は、第１の貼付部１２と、第２の貼付部１３と、これら第１及び第２の貼付部１２，１３を接続する接続部１４と、第１貼付部１２から接続部１４を介して第２の接続部１３まで強度を補強するために接着される芯部材１５と、で構成されている。
【００２９】
この例では、第１、第２の貼付部１２，１３は、平面形状が長方形となっており、第１の貼付部２の縦横の長さに比して、第２の貼付部３の縦横の長さは小さくなっている。即ち、第１の貼付部２の面積は、第２の貼付部３の面積に比して大きい。
【００３０】
また、この例では、第１の貼付部１２の横幅は約３ｃｍ、第２の貼付部３の横幅は約２ｃｍ、第１及び第２の貼付部１２，１３を接続する接続部１４の長さは約１ｃｍとなっているが、これに限定されるものではない。
【００３１】
第１の貼付部１２は、透明或いは半透明で、通気性があり、やや固めの柔軟性のある素材からなり、裏面には粘着剤が塗布されている。第２の貼付部１３は、表面が着色されていてよく、通気性はなくてよいが、裏面には粘着剤が塗布されている。接続部１４は、着色されていてもよく、やや固めの紙等の素材により形成されている。
【００３２】
ここで、第１の貼付部１２としては、ナイロンシートやプラスチック基材、ポリエチレンフォーム基材、ＰＶＣフォーム基材、シリコン基材等を採用することが可能である。透明ないしは半透明でなくても良い場合には、織布基材、不織布、紙等も採用することができる。第２の貼付部１３としては、ナイロンシートやプラスチック基材、ポリエチレンフォーム基材、ＰＶＣフォーム基材、シリコン基材、織布基材、不織布、紙等を採用することが可能である。接続部１４としては、やや固めの紙やプラスチック基材等を採用することができる。芯部材１５としては芯材を内包したビニール、プラスチック等による帯状部材や、それ自体、ある程度の強度を有する固めのプラスチック等による芯材を採用することができる。芯部材１５は透明又は半透明であってよく、第１及び第２の貼付部１２，１３及び接続部１４の表面又は裏面のいずれに接着されていてもよい。但し、以上には限定されないことは勿論である。
【００３３】
ここで、図６には本考案の第２の実施形態に係るチューブ固定用テープの使用状態を示し説明する。
【００３４】
実際の使用に際しては、第１の貼付部１２は、患者の鼻頭に貼り付けられ、第２の貼付部１３は、医療用のチューブの外周を包み込むように貼り付けられる。第１の貼付部１２と第２の貼付部１３との間は、前述したとおり、接続部１４で接続されており、更に芯部材１５により強度が補強されているので、左右の鼻腔のいずれにチューブ２０を挿入した場合においても好適な位置で第２の貼付部１３により当該チューブ２０の外周の一部を鼻腔の近傍で包み込み固定保持することが可能となる。尚、このチューブ固定用テープ１１による固定、保持を補うべくこの例では、管止めテープ３０も併用されている。
【００３５】
以上説明したように、この考案の第２の実施形態によれば、チューブ２０を固定するためのチューブ固定用テープ１１であって、患者の皮膚に貼り付けられる粘着面を有する第１の貼付部１２と、上記チューブ２０に貼り付けられる粘着面を有する第２の貼付部１３と、上記第１の貼付部１２と上記第２の貼付部１３とを接続する接続部１４と、上記第１の貼付部１２から上記接続部１４を介して上記第２の接続部１３まで強度を補強するために接着される芯部材１５と、を備えたことを特徴とするチューブ固定用テープ１１が提供される。
【００３６】
ここで、上記第１及び第２の貼付部１２，１３は、その平面形状が長方形であってもよい。また、上記第１の貼付部１２の面積は、上記第２の貼付部１３の面積に比して大きくてよい。上記第１の貼付部１２は、透明又は半透明であってよい。上記第１の貼付部１２は、通気性のある素材からなることとしてよい。また、上記チューブ２０とは、経管栄養法に基づく栄養補給のためのチューブ２０であり、上記第１の貼付部１２は、患者の鼻頭に貼り付けられ、上記第２の貼付部１３は、患者の鼻腔の近傍で上記チューブ２０の外周を包み込むように貼り付けられ、該チューブ２０の位置固定することとしてよい。
【００３７】
即ち、本考案の第２の実施形態によれば、経管栄養法に基づく栄養補給のために患者の鼻腔から挿入されるチューブ２０を当該患者の鼻の近傍で固定するためのチューブ固定用テープ１１であって、上記患者の鼻頭に貼り付けられる粘着面を有する平面形状が長方形の第１の貼付部１２と、上記チューブ２０に貼り付けられる粘着面を有する平面形状が長方形の第２の貼付部１３と、上記第１の貼付部１２と上記第２の貼付部１３とを接続する接続部１４と、上記第１の貼付部１２から上記接続部１４を介して上記第２の接続部１３まで強度を補強するために接着される芯部材１５とを備え、上記第１の貼付部１２の面積は上記第２の貼付部１３の面積に比して大きく、上記第１の貼付部１２は、透明又は半透明であり、通気性のある素材からなることを特徴とするチューブ固定用テープ１１が提供されることになる。
【００３８】
従って、第２の実施形態に係るチューブ固定用テープによれば、経管栄養法に基づく栄養補給の際に、鼻の近傍でチューブを簡易且つ迅速に固定することができ、しかも芯部材１５の効能により、鼻腔に挿入されたチューブが微動してもそれによる影響を吸収することができ、持続して保持状態を維持できる。また、第１の貼付部１２は透明又は半透明となっていることから、装着した患者の見た目も痛々しい感じとならず、看護をしている家族等の精神状態を安定維持することに寄与できる。また、第１の貼付部１２を通気性のよい素材とすることで、患者に快適な使用感を与えることができる。
【００３９】
以上、本考案の実施形態について説明したが、本考案はこれに限定されることなく、その主旨を逸脱しない範囲で種々の改良・変更が可能である。例えば、第１の貼付部及び第２の貼付部の形状は円形、長方形に限らず、楕円形や三角形、台形等、種々の形状を採用することが可能である。
【符号の説明】
【００４０】
１  チューブ固定用テープ
２  第１の貼付部
３  第２の貼付部
４  接続部
５  芯部材
１１  チューブ固定用テープ
１２  第１の貼付部
１３  第２の貼付部
１４  接続部
１５  芯部材
２０  チューブ
３０  管止めテープ
３０ａ，３０ｂ  切れ込み
３１  上カバー
３２  粘着層
３３  下カバー
【図１】
0003183192.tif 000003
【図２】
0003183192.tif 000004
【図３】
0003183192.tif 000005
【図４】
0003183192.tif 000006
【図５】
0003183192.tif 000007
【図６】
0003183192.tif 000008